(57)【特許請求の範囲】
【請求項１】
一対の縦枠と上枠と下枠とを備えたサッシの防水構造において、
前記下枠の下面の前端面に下方に延出する水切り板を形成し、
前記サッシの下部両端に、下方に垂れ下がるとともに前端縁が前記水切り板の裏面に当接し、さらに前記サッシの縦枠の側面に固定され、その下端縁が壁面から離れるに従って下方に下がるように傾斜して構成された水切り部材を設け、
前記縦枠の側面を流れた水が前記サッシの下面に流れ込むのを防止するように構成した
ことを特徴とするサッシ防水構造。
【請求項２】
前記水切り部材は、前記サッシの下方の防水層を形成した後に取り付けられる後付けの部材である
ことを特徴とする請求項１に記載のサッシ防水構造。
【請求項３】
前記水切り部材は、バルコニーに設けられる窓用のサッシの下部両端に設けられた
ことを特徴とする請求項１または請求項２に記載のサッシ防水構造。
【発明の詳細な説明】
【技術分野】
【０００１】
本発明は、サッシの防水構造に係り、特に、サッシの側面から下面へと雨水が流れ込むのを防止するように改良されたサッシ防水構造に関する。
【背景技術】
【０００２】
一般に、窓に用いられるサッシは、一対の縦枠と上枠と下枠を備えており、下枠には前端部から下方に延出する板状の水切り部材が形成されている（例えば、特許文献１参照）。この水切り部材によって、サッシ前面から流れた雨水が、下枠から落下し、下枠の下面に流れ込むのを防止している。
【０００３】
一方、図８に示すように、サッシ５１の縦枠７１には、その前端部に側方に張り出す前面プレート７２が形成されている。この前面プレート７２は、サッシ前面を流れる雨水がサッシ５１の側面に流れ込むのを防止するようになっている。
【０００４】
ところで、前記構成と同様のサッシ５１をバルコニーの窓として利用した場合、サッシの下部の納まりは、図８に示すような構造となる。図示するように、サッシ５１の下方には、水勾配が設けられたバルコニー５２の床面５３が形成されている。床面５３は、板状の下地材５４の表面に防水層５５が敷設（あるいは塗布）されて構成されている。防水層５５は、バルコニー５２の基端部５６で、壁下地材５７に沿って上方に立ち上がり、固定されている。防水層５５の上端部には、コーキング５８などのシールが施されている。
【特許文献１】特開平８−１７７３３２号公報（図１）
【発明の開示】
【発明が解決しようとする課題】
【０００５】
ところで、近年、バリアフリーの要請から、バルコニー５２の床面５３と、室内の床面（図示せず）との段差を小さくすることが求められている。また、バルコニー５２は、水勾配を必要とするため、基端側の床面５３のレベルが高くなっている。そのため、サッシ５１の下枠６１とバルコニー５２の床面（防水層５５の表面）５３との隔離寸法が小さいため、下枠６１下部の奥（バルコニー５２の基端部５６）に形成される防水層５５の立ち上がり部６２を施工する際のスペースが狭く、その施工が困難である。これによって、立ち上がり部６２の施工（防水層５５の敷設・接着（あるいは塗布）やコーキング５８など）品質が一定となり難く、品質にバラつきが発生してしまう場合があった。
【０００６】
一方、前記のサッシ５１の構成では、縦枠７１に形成された前面プレート７２によって、サッシ５１の前面を流れた雨水がサッシ５１の側面に流れ込むのを防止することはできるものの、図９中、矢印にて示すように、サッシ５１上部の壁面を流れた雨水は、上枠７４の上面および縦枠７１の側面を伝って、縦枠７１の下端部に流れる。特に、上部壁面で受ける雨水の量は多く、上枠７４からサッシ５１の前面に流れるとともに、縦枠７１の側面に多く流れる。縦枠７１の下端部に流れた雨水の多くはバルコニー５２の床面５３へと落下するが、前記雨水の一部は、図８中、白抜き矢印にて示すように、下枠６１の下面に回り込んで、防水上の弱点部である防水層５５の立ち上がり部６２まで、達してしまうことがあり、好ましくなかった。特に、壁面に対して、斜め方向からの降雨・強風となった場合は、この傾向は顕著になる。
【０００７】
そこで、サッシ５１の上枠の両端に水切りを目的とするガイド部材を設け、縦枠７１の側面に流れる雨水を、サッシ５１の前面に誘導・排水する方法があるが、特に、掃き出し窓用のサッシ５１の場合、サッシ５１の前面に、多量の雨水を誘導することは、障子部と枠部との隙間などからの雨水浸入の可能性が高くなり、防水上得策とは言いがたい。
【０００８】
また、バルコニー５２の防水層５５の信頼性を高めるために、サッシ５１の取付前に防水層５５を先に形成する方法が採られる場合があるが、バルコニー部のみサッシ５１の取付工程を変える必要が生じ、現場での工程管理が煩雑となる。
【０００９】
さらに、壁などをパネル化して組み上げる工法などでは、サッシを予め壁面に取り付けたパネルを現場に搬入することも一般的に行われている。この場合も、バルコニー部のみサッシを未取付としておき、バルコニー部の防水層を施工した後に、サッシを取り付けることとなる。特に、バルコニーの出入り口として用いられる掃き出し窓用のサッシは、面積および重量が大きいので、別途搬入・荷揚げ・取り付けに多くの手間がかかり、生産性が低下する。
【００１０】
そこで、本発明は、前記の問題を解決するためになされたものであり、サッシの前面に雨水を誘導することなく、サッシ下の防水層端部に雨水が流れ込むのを防止できるサッシ防水構造を提供することを課題とする。
【課題を解決するための手段】
【００１１】
前記課題を解決するための請求項１に係る発明は、一対の縦枠と上枠と下枠とを備えたサッシの防水構造において、前記下枠の下面の前端面に下方に延出する水切り板を形成し、前記サッシの下部両端に、下方に垂れ下がるとともに前端縁が前記水切り板の裏面に当接し、さらに前記サッシの縦枠の側面に固定され、その下端縁が壁面から離れるに従って下方に下がるように傾斜して構成された水切り部材を設け、前記縦枠の側面を流れた水が前記サッシの下面に流れ込むのを防止するように構成したことを特徴とするサッシ防水構造である。
【００１２】
ここで、サッシの下部両端とは、縦枠の下端部あるいは下枠の両端部をいう。すなわち、縦枠がサッシの下端まで延びて、その側面に下枠が当接するサッシでは、縦枠の下端部に水切り部材が取り付けられる。一方、下枠がサッシの両端まで延びて、その上面に縦枠が当接するサッシでは、下枠の両端部に水切り部材が取り付けられる。
【００１３】
前記構成によれば、縦枠の側面を流れた水が、サッシの下面に流れ込むことはないので、防水上の弱点部であるサッシ下方の防水層端部に水が達しない。よって、防水性能を向上させることができる。また、縦枠の側面を流れた水は、水切り部材を伝って下方のバルコニーの防水層上に落下するので、サッシの前面に水を誘導する必要もない。さらに、縦枠の側面を流れた雨水は、水切り部材の下端縁に沿って、防水層の立ち上がり部から離れるようにサッシの前面側に流れるので、サッシ下方の防水層の立ち上がり部に水が流れるのを確実に防止できる。
【００１４】
請求項２に係る発明は、前記水切り部材が、前記サッシの下方の防水層を形成した後に取り付けられる後付けの部材であることを特徴とする請求項１に記載のサッシ防水構造である。
【００１５】
前記構成によれば、サッシ下方の防水層の施工時には水切り部材は設けられていないので、防水層の施工スペースを確保することができ、その施工が行いやすくなるので、防水層の品質向上を図ることができる。
【００１６】
請求項３に係る発明は、前記水切り部材は、バルコニーに設けられる窓用のサッシの下部両端に設けられたことを特徴とする請求項１または請求項２に記載のサッシ防水構造である。
【００１７】
前記構成によれば、特に防水上の弱点部となるバルコニーの防水層の立ち上がり部に雨水が流れるのを防止でき、防水性能の向上効果が大きい。
【発明の効果】
【００２４】
本発明によれば、サッシの前面に雨水を誘導することなく、サッシ下の防水層端部に雨水が流れ込むのを防止できるといった優れた効果を発揮する。
【発明を実施するための最良の形態】
【００２５】
［第１実施形態］
本発明を実施するための最良の第１の実施形態について図面を参照して詳細に説明する。説明において、同一の要素には同一の番号を付し、重複する説明は省略する。
【００２６】
図１は本発明に係るサッシ防水構造を実施するための最良の第１の実施の形態を示した投影図、図２は本発明に係るサッシ防水構造を実施するための最良の第１の実施の形態を示した正面図および側面図、図３は本発明に係るサッシ防水構造の水切り部材を示した斜視図、図４は本発明に係るサッシ防水構造を実施するための最良の第１の実施の形態を示した断面図である。なお、本実施の形態では、バルコニーに掃き出し窓用のサッシが設けられた場合を例に挙げて説明する。そして、かかるサッシは、縦枠がサッシの下端まで延びて、その側面に下枠が当接する形状のものである。
【００２７】
まず、サッシの下方のバルコニーの防水層の構成について説明する。
【００２８】
図４に示すように、バルコニー１は、壁面から延出した片持ち梁（図示せず）に支持された板状の床下地材３を備えている。床下地材３は、水勾配を備えるべく、バルコニー１の先端側が下がるように傾斜されて片持ち梁に固定されている。床下地材３の表面には、シート状の防水層４が敷設されて床面２が形成されている。防水層４は、下地層である第一防水層４ａと、第一防水層４ａの上面に敷設される第二防水層４ｂとで構成される。第二防水層４ｂは仕上げ層となる。なお、本実施の形態では、防水層４は、下地層と仕上げ層からなる二層タイプとなっているが、これに限られるものではなく、要求される防水性能に応じて三層以上の層を有するものであってもよい。
【００２９】
第一防水層４ａは、バルコニー１の床面全体に亘って床下地材３を覆うとともにバルコニー１の基端側の壁面に沿って立ち上がるように敷設・接着されて形成されている。第一防水層４ａの立ち上がり部５ａは、板状の外壁下地材６に接着されている。第二防水層４ｂは、第一防水層４ａの上面に敷設・接着されて形成されている。第二防水層４ｂの立ち上がり部５ｂは、第一防水層４ａの立ち上がり部５ａの表面に接着されている。第一防水層４ａの立ち上がり部５ａおよび第二防水層４ｂの立ち上がり部５ｂは、後記するサッシ７の下枠８の取付プレート９を覆う位置まで立ち上げられており、第一防水層４ａの立ち上がり部５ａは、取付プレート９の表面に接着されている。第一防水層４ａの立ち上がり部５ａおよび第二防水層４ｂの立ち上がり部５ｂは、固定用押え板１１およびビス１２を介して、外壁下地材６および下地受材１４に固定されている。各立ち上がり部５ａ，５ｂの上端部には、サッシ７の下枠８の下端面の内側（室内側）端部を覆うようにコーキング１５が施されている。
【００３０】
次に、本実施の形態に係るサッシ防水構造１６の構成について説明する。
【００３１】
サッシ７は、アルミニウムやステンレスなどの材質で構成された一対の縦枠２４（図１参照）と上枠（図示せず）と下枠８とを備えている。本実施の形態では、縦枠２４がサッシ７の下端部まで延出しており、縦枠２４の側面に下枠８が当接して接合される形状となっている。すなわち、本実施の形態では、縦枠２４の下端部が、サッシ７の下部両端となる。下枠８の下面は、前側に向かうに連れて下方に下がるように傾斜して形成されている。なお、下枠８の下面は水平であってもよい。下枠８の下面の内側（室内側）端部には、外壁下地材６に当接する取付プレート９が形成されており、ビス１７などの締結手段により、下枠８を外壁下地材６および下地受材１４に固定するようになっている。
【００３２】
下枠８の下面の前端部には、下方に延出する板状の水切り板１８が形成されている。水切り板１８は、サッシ７の幅全長（下枠８の全長）に亘って形成されている。水切り板１８は、その前面が下枠８の前面と面一となるように構成されている。水切り板１８の垂れ下がり長さは、例えば、１５ｍｍ程度となっており、サッシ７のガラス面などから流れた雨水を、バルコニー１の防水層４上に落下させるようになっている。
【００３３】
なお、下枠８の上面には、サッシ７の幅方向に延びるガイドレール１９が複数形成されており、これらのガイドレール１９上には、窓２１と網戸２２が、それぞれスライド自在に設けられている。なお、図４中、２３は、室内の床材を示す。
【００３４】
図１に示すように、縦枠２４には、側面の前端部に側方に張り出す前面プレート２５が形成されている。この前面プレート２５は、縦枠２４の上下方向全長に亘って形成されており、サッシ７の前面を流れる雨水が縦枠２４の側面に流れ込むのを防止するようになっている。
【００３５】
一方、縦枠２４の後端部（室内側端部）には、側方に張り出す取付プレート２６が形成されている。取付プレート２６は、サッシ７の側部に位置する外壁下地材６の表面に当接して、ビス（図示せず）によって固定される。
【００３６】
サッシ７の縦枠２４の側方の外壁は、例えば、外壁下地材６の表面にラス（図示せず）が取り付けられ、そこにモルタルを所定厚さ塗り付けることで形成されている。なお、図１および図２（ｂ）および図４中、二点鎖線にて外壁の仕上げ面２７を示す。
【００３７】
ところで、本発明は、図１に示すように、サッシ７の下部両端、（本実施の形態では、縦枠２４の下端部）に、縦枠２４の側面を流れた水が下枠８の下面に流れ込むのを防止するための水切り部材３１を設けたことを特徴とする。水切り部材３１は、サッシ７の下方の防水層４を形成した後に取り付けられる後付けの部材である。すなわち、水切り部材３１は、サッシ７の取付時には取り付けられておらず、サッシ７を壁面に取り付けて、下枠８の下方のバルコニー１の防水層４の施工を行った後に、縦枠２４の下端面に取り付けられる。
【００３８】
図１および図２に示すように、水切り部材３１は、サッシ７を側部から見て、縦枠２４の前端面から外壁の仕上げ面（図１および図２（ｂ）中、二点鎖線にて示す）２７の位置まで延びて形成されている。本実施の形態では、水切り部材３１の後端縁は、外壁の仕上げ面２７と揃うような構成となっているが、これに限られるものではなく、水切り部材を、仕上げ面２７のさらに奥の方まで延出させて形成するようにしてもよい。
【００３９】
図２および図３に示すように、水切り部材３１は、下方に垂れ下がる垂下部３２と、縦枠２４の下端面（サッシ７の下部両端）に当接する接合面部３３とを備えた断面逆Ｌ字状の板材にて構成されている。図２（ｂ）に示すように、垂下部３２の前端縁は、下枠８の前端面に形成された水切り板１８の裏面（室内側面）に当接するように構成されている。図２（ａ）に示すように、垂下部３２の表面（取付時に、サッシ７の側面に位置する面）は、縦枠２４の側面と面一になるように構成されている。
【００４０】
図２（ａ）および（ｂ）に示すように、水切り部材３１の高さ寸法、すなわち垂下部３２の垂れ下がり長さは、下枠８の水切り板１８の垂れ下がり長さに応じて決定され、例えば、１０〜１５ｍｍ程度となっている。具体的には、垂下部３２の垂れ下がり長さは、下枠８の水切り板１８の垂れ下がり長さよりも短くなっており、垂下部３２の下端縁が、下枠８の水切り板１８の下端部よりも２〜５ｍｍ程度上方に位置するように決定されている。このような構成によれば、サッシ７の前面からの水が、垂下部３２の下端縁を伝って下枠８の下方に回り込むのを防止することができる。
【００４１】
図３に示すように、接合面部３３には、接着テープ３４が貼り付けられている。接着テープ３４は、両面に粘着層３５を有する両面テープにて構成されている。粘着層３５の間には、エチレン・プロピレン・ジエンゴム（ＥＰＤＭ）などから構成される防水性を兼ね備えた弾性体（発泡体）層３６が介設されており、縦枠２４の下端面にビスなどの突起物がある場合に、その突起を吸収するようになっている。このような構成によれば、接合面部３３を、縦枠２４の下端面に平行に密着させて接着することができる。なお、接着テープ３４は前記の構成に限られるものではなく、防水性を有するブチルゴムテープなどの両面粘着基材からなる一般的な両面テープであってもよい。なお、図３中、３７は、水切り部材３１の取付時に剥がす、離型紙である。
【００４２】
接合面部３３は、水切り部材３１が風圧などで剥離しない程度の接着力を確保できるように、１５〜３０ｍｍ程度の幅を有している。接合面部３３は、垂下部３２に風圧がかかった場合の、水切り部材３１の転び防止の機能も備えている。なお、必要な接着力が得られるならば、接着剤を用いて、水切り部材３１を縦枠２４の下端面に固定するようにしてもよい。この場合、接着剤は接合面部３３の前面に亘って塗布され、水切り部材３１と縦枠２４の下端面との間に雨水が浸入しないようにする必要がある。
【００４３】
水切り部材３１は、サッシ７の縦枠２４の材料（サッシ７全体の材料）と同質もしくは同等の耐久性を有する金属材料あるいは樹脂材料にて構成されている。例えば、サッシ７がステンレスにて形成されている場合は、水切り部材３１もステンレスで形成される。水切り部材３１は、ステンレス製板材を屈曲させて形成されるか、あるいはステンレス製の押出形材にて形成される。なお、水切り部材３１は、ステンレスと同等の耐久性を有する樹脂材料で構成してもよい。
【００４４】
水切り部材３１は、サッシ７の下枠８の材料（サッシ７全体の材料）と同質もしくは近似する色および質感となるように形成されている。例えば、サッシ７がブラウン色のヘアライン仕上げの場合は、水切り部材３１もブラウン色のヘアライン仕上げとする。なお、水切り部材３１を、サッシ７と同系のブラウン色で濃さを変えて形成してもよい。また、水切り部材３１を、壁面あるいはバルコニー１の床面２と同系の色および質感としてもよい。さらに、水切り部材３１の色を、サッシ７や壁面などの色と全く変えて、デザイン上のアクセントとするようにしてもよい。
【００４５】
次に、サッシ防水構造１６の作用を説明する。
【００４６】
前記構成のサッシ防水構造１６によれば、縦枠２４の下端部（サッシ７の下部両端）に水切り部材３１を設けたことによって、縦枠２４の側面を流れた雨水や外壁洗浄時の水など（以下、単に「雨水」という）が、下枠８の下面に流れ込むことはない。特に、サッシ７の幅が大きく、サッシ７の上部壁面から、大量の雨水がサッシ７の側面に流れてきても、その雨水は、水切り部材３１を伝って、バルコニー１の床面２に落下する。これによって、防水上の弱点部であるサッシ７下方の防水層４端部に水が達しない。よって、防水性能を向上させることができる。また、縦枠２４の側面を流れた水は、水切り部材３１を伝って下方に落下するので、サッシ７の前面に水を誘導する必要がなく、障子部と枠部との隙間などからの雨水浸入の可能性が高くなるといった問題も発生しない。
【００４７】
また、水切り部材３１は後付けの部材であって、前記構成のサッシ防水構造１６を構築するに際しては、まず、サッシ７を壁面に取り付けた後に、バルコニー１の防水層４を施工し、その後、縦枠２４の下端面に水切り部材３１を取り付ける。これによって、防水層４の施工時には、サッシ７の縦枠２４の下端面とバルコニー１の床面２との隙間を大きくでき、施工スペースを広く確保できる。これによって、サッシ７の下部両端近傍の防水層４の施工性が高くなり、立ち上がり部５ａ，５ｂの品質を高めて均一化することができる。また、施工作業後に、防水層４の立ち上がり部５ａ，５ｂの仕上がり状態を目視確認することができるので、万一、施工不具合があった場合には、発見して補修でき、防水層４の品質向上に寄与することができる。さらに、水切り部材３１を取り外せば、経年時の部品交換や防水層４の再施工などのメンテナンスの作業性を向上させることもできる。
【００４８】
さらに、水切り部材３１の取付時には、接着テープ３４の離型紙３７を剥がして、接合面部３３を縦枠２４の下端面に当接させて貼り付けるだけでよく、水切り部材３１の位置決めおよび固定作業を容易に行えるとともに、水切り部材３１を確実に縦枠２４に接合することができる。接着テープ３４を接合面部３３の全面に亘って貼り付けたことによって、水切り部材３１と縦枠２４の下端面との隙間をなくすことができ、サッシ７の下面に雨水が浸入するのを防止することができる。また、接着テープ３４は、弾性体層３６を備えているので、縦枠２４の下面にビス頭などの突起物がある場合でも、弾性体層３６が突起物を吸収して、接合面部３３を、縦枠２４の下端面に平行に密着させて接着することができる。
【００４９】
水切り部材３１は、縦枠２４の前端面から外壁の仕上げ面２７の部分まで延びて設けられているので、縦枠２４の露出する部分（仕上げ面２７よりも前方部分）を流れる全ての雨水を下方に落下させることができる。
【００５０】
水切り部材３１は、サッシ７の縦枠２４の材料と同質もしくは同等の耐久性を有する金属材料あるいは樹脂材料にて構成され、さらに、縦枠２４の材料と同質もしくは近似する色および質感となるように形成されているので、下枠８と水切り部材３１とで一体感を得ることができ、サッシ７および建物の意匠性を大幅に向上させることができる。また、下枠８と水切り部材３１は、万一、汚れや傷が発生したとしても、同等の汚れや傷となるので、一体感を継続的に確保することができる。
【００５１】
前記の実施の形態では、水切り部材３１を、バルコニー１に設けられる窓用のサッシ７の縦枠２４に設けたことによって、特に防水上の弱点部となるバルコニー１の防水層４の立ち上がり部５ａ，５ｂに雨水が流れるのを防止でき、防水性能の向上効果が大きい。
【００５２】
さらに、サッシ７の下面への雨水の回り込みによる防水上の負荷をなくすことで、バルコニー１の設計の自由度を高めてバリアフリー設計を維持しながら、安定した防水品質を確保することができる。
【００５３】
なお、前記実施の形態では、水切り部材３１は、後付けの部材であったが、サッシ７自身に予め形成したものも、本発明の範囲に含まれるのは勿論である。但し、水切り部材を予め形成すると、サッシ７本体の下部構造にかかる部材が全体的に大きくなり不経済であること、防水層４の施工や後工程の作業が煩雑になること、水切り部材が躯体側への水道となる恐れがあるといった問題が発生してしまうことを考慮すると、水切り部材は後付けとするのが好ましい。
【００５４】
［第２実施形態］
図５は、本発明に係るサッシ防水構造を実施するための最良の第２の実施の形態を示した側面図である。
【００５５】
図示するように、かかるサッシ防水構造３８は、水切り部材３９の下端縁が壁面から離れるに従って下方に下がるように傾斜して構成されたことを特徴とする。すなわち、水切り部材３９の垂下部４１の下端縁が、前方に向かって下方に傾斜して形成されている。垂下部４１の下端縁の前端部は、下枠８の水切り板１８の下端部よりも２〜５ｍｍ程度上方に位置するようになっている。
【００５６】
なお、その他の構成については、前記した第１実施形態と同様であるので、同じ符号を付して、説明を省略する。
【００５７】
前記構成によれば、縦枠２４の側面を流れた雨水は、水切り部材３９の下端縁に沿って、防水層４の立ち上がり部５ａ，５ｂから離れるようにサッシ７の前面側に流れる。したがって、雨水の落下位置を、防水層４の立ち上がり部５ａ，５ｂから離すことができる。これによって、落下した雨水が跳ね返って立ち上がり部５ａ，５ｂに達することもなく、サッシ７および建物の防水性を向上させることができる。
【００５８】
また、外壁が左官工事による湿式外壁である場合には、サッシ７と外壁との境界部分にピンホールなどの隙間が発生する場合があるので、この境界部分から離れる方向に、雨水を流すことによる防水性の向上効果は大きい。
【００５９】
なお、水切り部材３１，３９の形状は、縦枠２４の側面を流れた水が下枠８の下面に流れ込むのを防止することができれば、前記の実施の形態に限られるものではない。例えば、図６（ａ）に示すように、平板状の水切り部材４３を縦枠２４の側面に固定するようにしてもよい。また、図６（ｂ）に示すように、縦枠２４の側面から側方に張り出して、その側方端部に、下方に垂れ下がる水切り部４４を備えるような形状の水切り部材４５であってもよい。これらの水切り部材４３，４５も、前記の水切り部材３１，３９と同様に、下枠８の下面に雨水が流れ込むのを防止でき、サッシ７および建物の防水性を向上させることができる。
【００６０】
［第３実施形態］
図７は、本発明に係るサッシ防水構造を実施するための最良の第３の実施の形態を示した斜視図である。図７は、サッシ７の縦枠２４の下端部を斜め上方から見た図である。
【００６１】
図示するように、かかるサッシ防水構造４６は、前記構成の水切り部材３１の他に、下枠８の下面に設けられる前面水切り部材４７を設けたことを特徴とする。
【００６２】
前面水切り部材４７は、下方に垂れ下がる垂下部４８と、下枠８の下面に当接する転び防止部４９とを備えた断面逆Ｌ字状の板材にて構成されている。前面水切り部材４７は、下枠８に着脱自在に固定されている。具体的には、垂下部４８が、ビス２８によって下枠８の水切り板１８に固定されている。ビス２８は、水切り板１８の前面から螺合されており、前面水切り部材４７の取り付けおよび取り外しを容易に行うことができる。
【００６３】
垂下部４８は、例えば、下枠８の水切り板１８よりも長い垂れ下がり長さを有しており、雨水が、下枠８の下方のバルコニー１の床面２との隙間から吹き込んでも、防水層４の立ち上がり部５ａ，５ｂの上端には、飛散しないように構成されている。
【００６４】
転び防止部４９は、所定の幅を有して、下枠８の下面に当接している。前面水切り部材４７の垂下部４８には、風圧がかかったり、人の足先がぶつかったりして、外力がかかることが想定されるが、前面水切り部材４７は、転び防止部４９が下枠８の下面に当接しているので、垂下部４８にかかった外力を下枠８の下面に伝えることができ、前面水切り部材４７がバルコニー１の基端側に転ぶのを防止できる。
【００６５】
前面水切り部材４７も、水切り部材３１と同様に、サッシ７の下枠８の材料（サッシ７全体の材料）と同質もしくは同等の耐久性を有する金属材料あるいは樹脂材料にて構成されているとともに、サッシ７の下枠８の材料（サッシ７全体の材料）と同質もしくは近似する色および質感となるように形成されている。
【００６６】
前面水切り部材４７の転び防止部４９の端部には、切り欠き部２９が形成されており、この切り欠き部２９に水切り部材３１の接合面部３３が位置するように構成されている。
水切り部材３１の前側には前面水切り部材４７の垂下部４８が位置している。すなわち、水切り部材３１は、第１実施形態と比較して、前面水切り部材４７の垂下部４８の厚さ後方にオフセットして配置されている。縦枠２４の下部には、サッシ７の前面側から見て、水切り板１８、前面水切り部材４７の垂下部４８、水切り部材３１の順で、これらの部材が互いに密接して配設されている。
【００６７】
前記構成のサッシ防水構造４６によれば、サッシ７の側面のみならず、下枠８の下部からの雨水の流入を防止できるので、サッシ７および建物の防水性をさらに向上させることができる。
【００６８】
なお、本実施の形態では、水切り部材３１の垂下部３２は、下枠８の水切り板１８よりも短い垂れ下がり長さとなっているが、垂下部３２をさらに下方（例えば、前面水切り部材４７の垂下部４８の下端部近傍）にまで延出するようにしてもよい。これによれば、サッシ７の側部から、雨水が吹き込んだり吹き上げたりするのを防止することができる。
【００６９】
以上、本発明を実施するための形態について説明したが、本発明は前記実施の形態に限定されず、本発明の趣旨を逸脱しない範囲で適宜設計変更が可能である。例えば、前記実施の形態では、掃き出し窓用のサッシを例に挙げて説明したが、これに限られるものではなく、通常の引き違い窓や嵌め殺し窓であっても、本発明を適用できるのは勿論である。
【００７０】
また、本実施の形態では、バルコニーに設けられた窓用のサッシ７を例に挙げて説明したが、これに限られるものではない。例えば、外壁に設けられる通常の窓用サッシであっても、本発明を適用できるのは言うまでもない。この場合も、サッシの側面から、下枠の下面への雨水の流れ込みを防止することで、サッシ下部のコーキング部分に雨水を流さないといった防水上の効果を得られる。
【図面の簡単な説明】
【００７１】
【図１】本発明に係るサッシ防水構造を実施するための最良の第１の実施の形態を示した投影図である。
【図２】本発明に係るサッシ防水構造を実施するための最良の第１の実施の形態を示した、（ａ）は正面図、（ｂ）は側面図である。
【図３】本発明に係るサッシ防水構造の水切り部材を示した斜視図である。
【図４】本発明に係るサッシ防水構造を実施するための最良の第１の実施の形態を示した断面図である。
【図５】本発明に係るサッシ防水構造を実施するための最良の第２の実施の形態を示した側面図である。
【図６】本発明に係るサッシ防水構造を実施するための、（ａ）は最良の他の実施の形態を示した側面図、（ｂ）は最良のさらに他の実施の形態を示した側面図である。
【図７】本発明に係るサッシ防水構造を実施するための最良の第３の実施の形態を示した斜視図である。
【図８】従来のサッシ防水構造を示した投影図である。
【図９】従来のサッシ防水構造を示した正面図である。
【符号の説明】
【００７２】
１      バルコニー
２      床面
７      サッシ
８      下枠
１６    サッシ防水構造
２４    縦枠
３１    水切り部材
３２    垂下部
３３    接合面部
３４    接着テープ
３８    サッシ防水構造
３９    水切り部材
４１    垂下部
【図１】
0004564422.tif 000002
【図２】
0004564422.tif 000003
【図３】
0004564422.tif 000004
【図４】
0004564422.tif 000005
【図５】
0004564422.tif 000006
【図６】
0004564422.tif 000007
【図７】
0004564422.tif 000008
【図８】
0004564422.tif 000009
【図９】
0004564422.tif 000010